(57)【要約】【課題】異物をまったく発生せず、しかも、手軽に使用することができる食品用清掃具を得ることにある。【解決手段】複数の衛生紙（１１）及び該衛生紙を収納する包装体（２１）からなっている。衛生紙は木綿の種を取り巻く産毛を原料とする長繊維が自己接着した不織布からなっている。この衛生紙は、隣接する衛生紙の一部を間に挟んで折り畳まれ、かつ上下に重ねられている。包装体は、衛生紙のこの束を収納していると共に、衛生紙を引き出す開口を形成するミシン目（２２）を備えている。【選択図】    図１
2004275595.tif 000002
【特許請求の範囲】
【請求項１】
複数の衛生紙及び該衛生紙を収納する包装体からなり、前記衛生紙が木綿の種を取り巻く産毛を原料とする長繊維が自己接着した不織布からなっていると共に、隣接する衛生紙の一部を間に挟んで折り畳まれ、かつ上下に重ねられ、前記包装体が衛生紙のこの束を収納していると共に、衛生紙を引き出す開口を形成するミシン目を備えていることを特徴とする食品用清掃具。
【請求項２】
前記包装体が、プラスチックフィルムの袋からなると共に、前記束の折り重ね面に対応する面に前記ミシン目を設けられていることを特徴とする請求項１に記載の食品用清掃具。
【発明の詳細な説明】
【０００１】
【発明の属する技術分野】
この発明は、食品用清掃具に係わり、更に詳しくは、食品を扱う工場や店などで食品に接触する機器の汚れを除去したり、食品の余剰部分を拭き取り、外観を仕上げたりするのに好適な食品用清掃具に関している。
【０００２】
【従来の技術】
食品衛生に対する消費者の関心が高まり、製造工程における衛生管理を厳しく対処することが求められている。
【０００３】
従来、食品を製造する工場や店では、食品に触れる機材の汚れを除去したり、余剰部分を拭き取り、食品の外観を仕上げたりするために、タオルに代表される布製の布巾や、不織布からなる食品用紙タオルなどが広く使われている。
【０００４】
【発明が解決しようとする課題】
しかし、布巾は、洗い直すことで何度も使用することができても、清潔度を維持するのにかなり手間を要する。また、紙タオルは、このような手間がなく、衛生的であっても、木綿からなっているため、擦れると、木綿繊維の表面に傷が生じ、切れた小繊維や細かな摩擦粉が食品に混入する恐れがある。更に、紙タオルは、四つ折りにしたものを多数積層し、例えば１００枚積層しかつ包装し、これをケースに入れて提供されており、一枚取り出すと、９９枚が外部に露出する。このため、汚さずに、残る９９枚を保管しなければならず、手間を要する。
【０００５】
本発明の目的は、異物をまったく発生せず、しかも手軽に使用することができる食品用清掃具を得ることにある。
【０００６】
【課題を解決するための手段】
上記目的を達成するために、本発明の食品用清掃具は、複数の衛生紙及び衛生紙を収納する包装体からなり、衛生紙が木綿の種を取り巻く産毛を原料とする長繊維が自己接着した不織布からなっていると共に、隣接する衛生紙の一部を間に挟んで折り畳まれ、かつ上下に重ねられ、包装体が衛生紙のこの束を収納していると共に、衛生紙を引き出す開口を形成するミシン目を備えていることを特徴としている。
【０００７】
【作用】
本発明の清掃具は、複数の衛生紙及び衛生紙を収納する包装体からなり、衛生紙が木綿の種を取り巻く産毛を原料とする長繊維が自己接着した不織布からなるため、衛生紙から繊維の抜け落ちがなく、清掃対象物との摩擦による静電気が発生しない。このため、衛生紙の一部が清掃対象物に残留せず、埃も清掃対象物に吸着されず、食品への異物混入がない。更に、衛生紙は吸液性及び保液性に富むため、短時間で清掃対象物を綺麗に清掃することができ、しかも同じ量を吸水するのに少ない枚数で済むため、清掃コストもきわめて低い。
【０００８】
また、衛生紙は隣接する衛生紙の一部を間に挟んで折り畳まれ、かつ上下に重ねられ、包装体が衛生紙のこの束を収納していると共に、衛生紙を引き出す開口を形成するミシン目を備えているため、開口を通じて衛生紙を一枚引き出すと、次の衛生紙の一部が包装体の外部に引き出され、次回の使用が簡便である。そして、残余の衛生紙は包装体に収納されたままとなり、汚れず、保管に手間を要さない。このため、扱いを手軽に行える。そして、使用前にも衛生紙のほとんどは包装体によって覆われているため、現場までの荷扱い中に汚染されない。
【０００９】
【発明の実施の形態】
以下、図面を参照して、本発明の食品用清掃具の実施の形態としての実施例を説明する。
【００１０】
この食品用清掃具は多数の衛生紙１１とこれを密閉する包装体２１とからなっている。
【００１１】
衛生紙１１は木綿繊維のみによって構成された不織布からなっている。すなわち、衛生紙１１は木綿の種を取り巻く産毛（コットンリンター）を原料とする長繊維が自己接着した不織布からなっている。この不織布は、表面に毛羽立ちがなく繊維の抜け落ちなもなく、繊維同士が自己接着しているため、バインダーなどの不純物をまったく含んでいない。更に、繊維自身が吸液するため、吸液性及び保液性に富み、その上繊維自身が水分を含んでいるため、摩擦などによる静電気も発生しない。
【００１２】
製造は、原液をつくり、原液からシートをつくることによってなされている。原液は、コットンリンターを洗浄したあと、蒸煮及び濾過をくり返して不純物を完全に除去して精製リンターを得たあと、精製リンターを溶解液に溶すことでつくられる。この精製リンター溶解液は、微少ノズル孔を多数持つノズル管からネットの上に押し出される。シートがノズル管あるいはネットを移動することによってネット上に形成される。このときに、ノズル孔から押し出された繊維は、まだ粘性があるため、互いに接着した状態でネット上で積層される。このため、得られたシートは、接着剤などを使用せずに自己接着した、繊維が互いに絡み合ったものとなる。
【００１３】
この不織布シートは、溶解液が蒸発した後、巻き取らて原反ロールとなる。原反ロールは、必要サイズにカットされ、隣接する衛生紙の一部を間に挟んで折り畳まれる。折り畳まれた衛生紙は、ある枚数、例えば１００枚ずつ束ねられ、包装体２１に収納される。
【００１４】
包装体２１は熱可塑性のプラスチックフィルムの袋からなっている。包装は、例えば、前述のようにして折り重ねられた衛生紙１１の束をプラスチックフィルムの上に置き、プラスチックフィルムの長手方向端部及びを短手方向端部を衛生紙１１の束の上に折り重ね、長手方向端部の折り重ね部分２３と短手方向端部の折り重ね部２４とをヒートシールすることによってなされている。ミシン目２２がプラスチックフィルムを置いた面に施されている。
【００１５】
このため、衛生紙１１は、図２に示すように、隣接する衛生紙の一部を間に挟んで折り畳まれた状態で上下に重ねられている。包装体２１における衛生紙１１の折り畳み方向を向いた面にミシン目２２にある。衛生紙１１の束は、ミシン目２２を切り開いていないため、包装体２１によって密封されている。
【００１６】
清掃は、包装体２１のミシン目２２を切り開き、最上部にある衛生紙１１をミシン目２２によって形成された開口から引き出すことによって開始される。引き出すと、隣接する衛生紙１１の一部を間に挟んで折り畳まれているため、次の衛生紙１１の一部が開口から外部に残留し、次の使用に備えると共に、包装体２１によって保護される。
【００１７】
次に、引き出した衛生紙１１によって、例えば食品を置いてある食品台上を清掃するのであるが、単に衛生紙１１を包装体２１から引き出し、食品台を拭うだけでこれを行え、何度くり返しても労力負担がないため、作業がきわめて簡単である。このため、汚れを気づいたときに清掃をすぐに行え、食品台を最良な衛生状態に常に保つことができる。そして、包装体２１の内部に残った未使用の衛生紙１１は、包装体２１によって包まれていて、なにも作業しなくても汚染し難いため、使用後の管理もきわめて簡単である。
【００１８】
更に、食品台を衛生紙１１によって拭くときにも、衛生紙１１が前述のように吸液性及び保液性に富むため、食品台の清掃を短時間で行うことができ、こればかりか、衛生紙１１の枚数が同じ量を吸水するのに少なくて済むため、清掃コストもきわめて低い。そして、衛生紙１１の表面に毛羽立ちがなく、繊維の抜け落ちもなく、摩擦などによる静電気が発生せず、しかもバインダーなどの不純物をまったく含んでいないため、衛生紙１１が食品台にまったく残留せず、異物が食品台に残留しない。このため、次の食品を食品台に載せても、食品に異物が混入しない。
【００１９】
そして、ミシン目２２を切り開いていない状態、つまり、衛生紙１１が包装体２１によって密封された状態にて、この食品用清掃具を使用者に提供することができるため、清掃が開始されるまで衛生紙１１が全く汚れず、さらに衛生的である。
【００２０】
以上は食品台の清掃についてであるが、この清掃具を用いて、ボールのような食品容器の清掃を行うときにも、衛生紙１１の繊維や埃などが食品容器に残留しないため、次に扱う食品に異物が混入しない。さらに、食品の余剰部分の拭き取り、食品からのはみ出したクリームやジャムなどを拭き取るときや、食品に付着したこれらを拭き取るときにも、食品に衛生紙１１の繊維や埃が混入したり、残留したりしない。そして、これらの場合も、清掃を迅速に、且つ低コストで行える。
【００２１】
なお、以上説明した実施例において、衛生紙１１をコットンリンターのみから構成して、焼却しても、有毒ガスが発生しないようしてあるが、包装体２１も焼却するときに有毒ガスの発生しないプラスチックフィルムや自然環境にて自然分解するプラスチックフィルムなどによって構成して、環境破壊を更に少なくするようにしてもよい。
【００２２】
【発明の効果】
以上述べたように、本発明の食品用清掃具は、複数の衛生紙及び衛生紙を収納する包装体からなり、衛生紙が木綿の種を取り巻く産毛を原料とする長繊維が自己接着した不織布からなると共に、隣接する衛生紙の一部を間に挟んで折り畳まれ、かつ上下に重ねられ、包装体が衛生紙のこの束を収納していると共に、衛生紙を引き出す開口を形成するミシン目を備えていて、衛生紙自体および清掃対象物の汚れなどが食品に混入せず、しかも簡単にかつ低コストで清掃を行えるので、食品の扱う工場や店の衛生管理を容易にかつ確実に行うことができる。
【図面の簡単な説明】
【図１】本発明の食品用清掃具の一実施例を示す斜視図である。
【図２】図１の２−２線に沿う横断面を示す説明図である。
【符号の説明】
１１  ．．．  衛生紙
２１  ．．．  包装体
２２  ．．．  ミシン目
【図１】
2004275595.tif 000003
【図２】
2004275595.tif 000004